(57)【要約】本発明の靴底１は、内側踏付部２３，３３と外側踏付部２４，３４との間において前後に長い帯状の帯状部４とを備え、帯状部４は突部４０を有し、突部４０は前後方向Ｘに連続的ないし断続的に延びており、突部４０の接地面は内側踏付部２３，３３および外側踏付部２４，３４の接地面よりも下方に突出しており、そして、下記の（ａ）、（ｂ）のうちのいずれか一方または双方の条件を満たす。（ａ）帯状部４のミッドソール２の硬度が内側踏付部２３，３３および外側踏付部２４，３４のミッドソール２の硬度よりも大きい。（ｂ）帯状部４のアウトソール３の硬度が内側踏付部２３，３３および外側踏付部２４，３４のアウトソール３の硬度よりも大きい。
2010137068.tif 000002
【特許請求の範囲】
【請求項１】
着地時に接地する接地面を有するアウトソールと、前記アウトソールの上に配置され着地の衝撃を緩和するミッドソールとを備えた靴底において、
中足趾節間関節を含む踏付領域において足の内側を支える内側踏付部と、
前記踏付領域において足の外側を支える外側踏付部と、
前記内側踏付部と外側踏付部との間において前後方向に長い帯状の帯状部とを備え、
前記帯状部は突部を有し、
前記突部は前後方向に連続的ないし断続的に延びており、
前記突部の接地面は前記内側踏付部および外側踏付部の接地面よりも下方に突出しており、
そして、下記の（ａ）、（ｂ）のうちのいずれか一方または双方の条件を満たす靴底
（ａ）前記帯状部の前記ミッドソールの硬度が前記内側踏付部および外側踏付部のミッドソールの硬度よりも大きい
（ｂ）前記帯状部の前記アウトソールの硬度が前記内側踏付部および外側踏付部のアウトソールの硬度よりも大きい。
【請求項２】
請求項１の前記（ａ）および（ｂ）の双方の条件を満たす靴底。
【請求項３】
請求項１において、前記ミッドソールはアウトソールよりも厚く、かつ、請求項１の少なくとも前記（ａ）の条件を満たす靴底。
【請求項４】
請求項１において、前記アウトソールの帯状部と前記アウトソールの前記内側および外側踏付部とが互いに分離され、かつ、請求項１の少なくとも前記（ｂ）の条件を満たす靴底。
【請求項５】
請求項４において、前記帯状部のアウトソールがゴムの非発泡体で形成され、前記内側および外側踏付部のアウトソールがゴムの発泡体で形成されている靴底。
【請求項６】
請求項４において、
前記踏付領域よりも前方の前端部と、
前記踏付領域よりも後方においてリスフラン関節を含む踏まず領域とを更に備え、ここにおいて前記踏まず領域は、
前記踏まず領域において足の内側を覆う内側踏まず部と、
前記踏まず領域において足の外側を覆う外側踏まず部と、
前記内側踏まず部と前記外側踏まず部との間において、前記踏付部の帯状部に連続的または断続的に連なる前後方向に長い帯状の帯状踏まず部とを備え、
前記帯状踏まず部の接地面において前記アウトソールは接地し、
前記帯状踏まず部の前記接地面は前記内側および外側踏付部の接地面よりも下方に突出し、
前記帯状踏まず部のアウトソールの硬度が前記内側および外側踏まず部のアウトソールの硬度よりも大きい靴底。
【請求項７】
請求項６において、
前記アウトソールの内側および外側踏まず部の硬度が前記アウトソールの内側および外側踏付部の硬度よりも大きい靴底。
【請求項８】
請求項３において、
前記踏付領域よりも前方の前端部と、
前記踏付領域よりも後方においてリスフラン関節を含む踏まず領域とを更に備え、ここにおいて前記踏まず領域は、
前記踏まず領域において足の内側を覆う内側踏まず部と、
前記踏まず領域において足の外側を覆う外側踏まず部と、
前記内側踏まず部と前記外側踏まず部との間において、前記踏付部の帯状部に連続的または断続的に連なる前後方向に長い帯状の帯状踏まず部とを備え、
前記帯状踏まず部においてミッドソールの硬度が前記内側および外側踏まず部のミッドソールの硬度よりも大きい靴底。
【請求項９】
請求項１において、前記帯状部と前記内側および外側踏付部との間には、各々、前記ミッドソールおよびアウトソールの双方に、前記帯状部に沿って延びる縦溝が形成されている靴底。
【請求項１０】
請求項６において、
前記帯状踏まず部は足の前後方向に沿って延び、
前記踏付領域の前記帯状部は後方から前方に行くに従い斜め内側前方に向って傾いている靴底。
【請求項１１】
着地時に接地する接地面を有するアウトソールと、前記アウトソールの上に配置され着地の衝撃を緩和するミッドソールとを備えた靴底において、
中足趾節間関節を含む踏付領域において足の内側を支える内側踏付部と、
前記踏付領域において足の外側を支える外側踏付部と、
前記内側踏付部と外側踏付部との間において前後方向に長い帯状の帯状部とを備え、
前記帯状部は突部を有し、
前記突部は前後方向に連続的ないし断続的に延びており、
前記突部の接地面は前記内側踏付部および外側踏付部の接地面よりも下方に突出しており、そして、
前記帯状部と前記内側踏付部および外側踏付部との間には、各々、前記ミッドソールおよびアウトソールの双方に、前記帯状部に沿って延びる縦溝が形成されている靴底。
【請求項１２】
請求項１１において、
前記踏付部よりも後方においてリスフラン関節を含む踏まず領域を更に備え、ここにおいて前記踏まず領域は、
前記踏まず領域において足の内側を覆う内側踏まず部と、
前記踏まず領域において足の外側を覆う外側踏まず部と、
前記内側踏まず部と前記外側踏まず部との間において、前記踏付領域の帯状部に連続的または断続的に連なる前後方向に長い帯状の帯状踏まず部とを備え、
前記帯状踏まず部と前記内側および外側踏まず部との間に前記帯状踏まず部に沿って前記縦溝が延びている靴底。
【請求項１３】
請求項１２において、
前記帯状踏まず部は足の前後方向に沿って延び、
前記踏付領域の前記帯状部は後方から前方に行くに従い斜め内側前方に向って傾いている靴底。
【発明の詳細な説明】
【技術分野】
【０００１】
本発明は、日常的に着用することによって姿勢矯正や筋力増強のトレーニングとなり得る靴の靴底に関する。
【背景技術】
【０００２】
足裏の荷重の中心が一定の圧力中心に沿った状態で歩行することにより、美しい歩行姿勢が得られる。しかし、現代人、特に女性や高齢者は筋力が弱く、そのため、圧力中心が歩行中に足の内外に動揺し易い。【０００３】
トレーニング用に接地面が突出した履物底が種々提案されている。
【先行技術文献】
【特許文献】
【０００４】
【特許文献１】特開２００６ー５５６００Ａ（要約）
【特許文献２】特開２００５−１６９０５３Ａ（要約）
【特許文献３】特表２００３−５０８０９８Ａ（要約）
【発明の概要】
【発明が解決しようとする課題】
【０００５】
たとえば、文献１、２には前後方向に長い突条を備えた履物底が開示されている。これらの履物を着用することで、体の重心に関する補正が可能かもしれない。【０００６】
しかし、前記各履物底は履物底の内外の中央が下方に大きく突出しており、そのため、足の内外の動揺が大きくなり易い。したがって、日常の生活において前記各履物底を有する靴を着用することは難しく、実用に供し得ないだろう。【０００７】
本発明の目的は日常の生活において着用でき、歩行姿勢の改善に役立つトレーニングシューズの靴底を提供することである。
【課題を解決するための手段】
【０００８】
前記目的を達成するために、本発明のある態様の靴底は、着地時に接地する接地面を有するアウトソールと、前記アウトソールの上に配置され着地の衝撃を緩和するミッドソールとを備えた靴底において、中足趾節間関節を含む踏付領域において足の内側を支える内側踏付部と、前記踏付領域において足の外側を支える外側踏付部と、前記内側踏付部と外側踏付部との間において前後方向に長い帯状の帯状部とを備え、前記帯状部は突部を有し、前記突部は前後方向に連続的ないし断続的に延びており、前記突部の接地面は前記内側踏付部および外側踏付部の接地面よりも下方に突出しており、そして、下記の（ａ）、（ｂ）のうちのいずれか一方または双方の条件を満たす。
（ａ）前記帯状部の前記ミッドソールの硬度が前記内側踏付部および外側踏付部のミッドソールの硬度よりも大きい。
（ｂ）前記帯状部の前記アウトソールの硬度が前記内側踏付部および外側踏付部のアウトソールの硬度よりも大きい。
【発明の効果】
【０００９】
本発明によれば、以下に記述する(i) 〜(iii) の効果を期待できるだろう。
効果（i)：
本発明の靴底を有する靴を着用者が着用して歩行すると、踏付領域において中央の突部が接地し、かつ、内側および外側踏付部が接地しにくい。そのため、着用者が歩行のバランスを保とうとして、前記中央の帯状部の上に荷重中心つまり圧力中心が位置するように着用者は歩くであろう。そのため、圧力中心の移動軌跡のバラツキが小さくなることが期待される。また、前記帯状部の上に圧力中心が位置するように歩こうとすることで、安定した歩行姿勢の維持や、更に筋活動量の増加が期待できる。
しかし、突部の突出量が大きすぎると、日常において着用者が用いることができなかったり、安心して歩行できないだろう。【００１０】
効果（ii）：
ここで、本発明の靴底においては、踏付領域の帯状部のミッドソールおよび／またはアウトソールの硬度は、内側や外側のそれよりも大きい。そのため、前記帯状部は圧縮されにくく、前記帯状部が下方に突出した状態を保つことができる。したがって、前記効果（i)が得られるための帯状部の突出量を小さくすることが可能だろう。それ故、歩行の安定性が阻害されにくく、日常において着用することができる。その結果、前記移動軌跡が安定し、歩行姿勢の改善や筋活動量の増加が期待できる。【００１１】
効果（iii)：
特に、帯状部は硬く、そのため、足裏に帯状部の存在あるいは帯状部からの反力を着用者は感じ易いだろう。それ故、着用者は帯状部を意識して歩行し、その結果、所期の美しい歩行姿勢を維持することができるなど、前記効果（i)が得られ易いだろう。【００１２】
本発明において、踏付領域とは、少なくとも中足趾節間（ＭＰ）関節を含み、より詳しくは、中足骨骨体の一部、中足骨骨頭、ＭＰ関節、基節骨骨底および基節骨骨頭の一部を含む。これらの部位が歩行時に路面をキャッチし蹴り出す際に、着用者が帯状部を意識することで歩行姿勢が安定し、また、筋の活動量が大きくなる。
本発明の好ましい実施例において、踏付領域の帯状部は第２趾または第３趾のＭＰ関節またはこれらの足趾の間の少なくとも一部を支える。【００１３】
本発明において、突部は、前後方向に分断されることなく連続的に形成されていてもよいし、あるいは、前後方向に分断されて断続的に形成されていてもよい。
また、「前後方向に長い」とは、帯状部が足の長軸に沿って前方に延びる場合の他、帯状部が踏付部の外縁または内縁に沿って斜め前方などに延びる場合を含むことを意味する。
「帯状」とは、帯状部の足幅方向の幅よりも帯状部の前後方向の長さが大きいことを意味する。
本発明において「硬度が大きい」とは、ミッドソールやアウトソールが圧縮されにくい、つまり、ヤング率が大きいことを意味する。【００１４】
本発明において、帯状部および突部の足幅方向の大きさ（幅）は、それぞれ、２ｍｍ〜５０ｍｍ程度が好ましく、３ｍｍ〜４０ｍｍ程度が更に好ましく、５ｍｍ〜３０ｍｍ程度が最も好ましいだろう。
帯状部や突部の幅が小さいと、着用者が足裏に突部を感じにくいだろう。一方、前記幅が大きいと前記移動軌跡が不安定になり易いだろう。
なお、帯状部の幅が突部の幅よりも大きいなど、両者の幅は互いに異なっていてもよい。【００１５】
本発明において、内側および外側踏付部に対する突部の突出量は、０．１〜５．０ｍｍ程度が好ましく、０．３〜４．５ｍｍ程度が更に好ましく、０．５〜４．０ｍｍ程度が最も好ましい。
突出量が小さいと着用者が足裏に突部を感じにくい。一方、突出量が大きいと歩行が不安定になり易い。【００１６】
ミッドソールは主として樹脂の発泡体で形成されるが、前記発泡体以外にゴム弾性を持つ軟質樹脂が内側および外側踏付部などに配置されていてもよい。【００１７】
ミッドソールの前記樹脂の発泡体の硬度は、実用上、ＪＩＳ  Ｋ  ７３１２に規定される硬度（以下、「Ｃ硬度」という。）で３０度〜９０度程度が好ましいだろう。
前記ミッドソールの帯状部と帯状部以外の発泡体の硬度差は、Ｃ硬度で５度〜４０度程度が好ましく、１０度〜３５度程度が最も好ましいだろう。硬度差が小さいと着用者が足裏に帯状部を感じにくく、硬度差が大きいと前記実用的な硬度範囲から外れ易くなる。【００１８】
かかる観点から、前記帯状部の発泡体の硬度は、Ｃ硬度で６０度〜８５度程度が更に好ましく、６５度〜８５度程度が最も好ましいだろう。
一方、前記帯状部以外のミッドソールの発泡体の硬度は、Ｃ硬度で、３８度〜６３度程度が更に好ましく、４３度〜６３度程度が最も好ましいだろう。【００１９】
アウトソールはゴムの発泡体または非発泡体で形成するのが好ましく、その硬度は、実用上、Ｃ硬度で５０度〜９５度程度が好ましいだろう。
アウトソールの突部を含む帯状部と、その両サイドの部位（内側および外側踏付部や内側および外側踏まず部）との硬度差は、Ｃ硬度で５度〜３０度程度が好ましく、７度〜２０度程度が最も好ましいだろう。硬度差が小さいと着用者が足裏に帯状部を感じにくい。一方、硬度差が大きいと前記実用的な硬度範囲から外れ易くなる。【００２０】
かかる観点から、前記アウトソールの突部および帯状部の硬度はＣ硬度で７０度〜９２度程度が好ましく、７５度〜９０度程度が最も好ましいだろう。
一方、前記アウトソールの帯状部の両サイドの部位については、Ｃ硬度で、５５度〜８０度程度が好ましく、６０度〜７５度程度が最も好ましいだろう。
【図面の簡単な説明】
【００２１】
【図１】図１は本発明の一実施例にかかる靴底を斜め後方から見た状態で示す概略斜視図である。
【図２】図２は同靴底を斜め側方から見た状態で示す概略斜視図である。
【図３】図３Ａは図３ＢのIIIA-IIIA 線で断面した靴底の概略縦断面図、図３Ｂはミッドソールの概略横断面図である。
【図４】図４は靴底と足の骨格との関係を示す概略底面図である。
【図５】図５は靴底を示す概略底面図である。
【図６】図６Ａは図５におけるVIA-VIA 線断面図、図６Ｂは図５におけるVIB-VIB 線断面図、図６Ｃは図５におけるVIC-VIC 線断面図、図６Ｄは図５におけるVID-VID 線断面図、図６Ｅは図５におけるVIE-VIE 線断面図である。
【図７】図７Ａ〜図７Ｄは、それぞれ、他の実施例を示す概略横断面図である。
【図８】図８Ａはミッドソールの帯状部の変形例を示す概略底面図、図８Ｂおよび図８Ｃはミッドソールの帯上部の変形例を示す概略縦断面図である。
【発明を実施するための形態】
【００２２】
本発明において、前記（ａ）および（ｂ）の双方の条件を満たすのが好ましい。
この場合の靴底はミッドソールおよびアウトソールの双方について、帯状部の硬度が内側踏付部および外側踏付部の硬度よりも大きい。そのため、前記効果（i)〜(iii) が顕著に発揮されるだろう。
【００２３】
本発明において、前記ミッドソールはアウトソールよりも厚く、かつ、少なくとも前記（ａ）の条件を満たすのが好ましい。
一般に、ミッドソールはアウトソールよりも柔軟で、かつ、厚さが大きい。かかるミッドソールについて帯状部の硬度が大きい場合、前記効果（i)〜(iii) が発揮され易いだろう。
【００２４】
本発明において、前記アウトソールの帯状部と前記アウトソールの前記内側および外側踏付部との間が分離され、かつ、少なくとも前記（ｂ）の条件を満たすのが好ましい。
ミッドソールを各領域ごとに分離することは手間がかかりコストアップにつながる。そのため、ミッドソールの各領域について硬度差を設けることはコストアップを招く。一方、アウトソールは内外と中央とで分離することができ、したがって、この態様の場合、アウトソールの各領域について硬度差を設けても然程コストアップしないだろう。
硬いアウトソールは突部の接地面の摩耗を低下させるのに役立つだろう。
【００２５】
本発明において、前記帯状部のアウトソールがゴムの非発泡体で形成され、前記内側および外側踏付部のアウトソールがゴムの発泡体で形成されているのが好ましい。
かかる態様によれば、非発泡体のゴムは発泡体よりも大きな硬度を得易い。
【００２６】
本発明において、前記踏付部よりも前方の前端部と、前記踏付部よりも後方においてリスフラン関節を含む踏まず領域とを更に備え、ここにおいて前記踏まず領域は、前記踏まず領域において足の内側を覆う内側踏まず部と、前記踏まず領域において足の外側を覆う外側踏まず部と、前記内側踏まず部と前記外側踏まず部との間において、前記踏付部の帯状部に連続的または断続的に連なる前後方向に長い帯状の帯状踏まず部とを備え、前記帯状踏まず部の接地面において前記アウトソールは接地し、前記帯状踏まず部の前記接地面は前記内側および外側踏付部の接地面よりも下方に突出し、前記帯状踏まず部のアウトソールの硬度が前記内側および外側踏まず部のアウトソールの硬度よりも大きいのが好ましい。
かかる態様によれば、踏まず領域においても接地する硬い帯状踏まず部は、前記効果（i)〜(iii) を更に高めるだろう。
【００２７】
本発明において、前記アウトソールの内側および外側踏まず部の硬度が前記アウトソールの内側および外側踏付部の硬度よりも大きいのが好ましい。
かかる態様によれば、硬度の大きい内側および外側踏まず部は、足のアーチが低下するのを防止するのに役立つだろう。
硬度の大きい帯状部は踏付部の屈曲性を低下させる。しかし、硬度の小さい内側および外側踏付部のアウトソールが前記屈曲性を補うだろう。
【００２８】
本態様において、踏まず領域とは、アウトソールが接地しないという意味ではなく、リスフラン関節およびその近傍の部位で、かつ、足のアーチが形成された領域を意味し、一般にショパール関節およびその近傍の部位を含む。
【００２９】
本発明において、前記踏付部よりも前方の前端部と、前記踏付部よりも後方においてリスフラン関節を含む踏まず領域とを更に備え、ここにおいて前記踏まず領域は、前記踏まず領域において足の内側を覆う内側踏まず部と、前記踏まず領域において足の外側を覆う外側踏まず部と、前記内側踏まず部と前記外側踏まず部との間において、前記踏付部の帯状部に連続的または断続的に連なる前後に長い帯状の帯状踏まず部とを備え、前記帯状踏まず部においてミッドソールの硬度が前記内側および外側踏まず部のミッドソールの硬度よりも大きいのが好ましい。
かかる態様によれば、踏まず領域において接地する硬い帯状踏まず部は、前記効果（i)〜(iii) を更に高めるだろう。
【００３０】
本発明において、前記帯状部と前記内側および外側踏付部との間には、各々、前記ミッドソールおよびアウトソールの双方に、前記帯状部に沿って延びる縦溝が形成されていてもよい。
【００３１】
本発明において、前記帯状踏まず部は足の前後方向に沿って延び、前記踏付領域の前記帯状部は後方から前方に行くに従い斜め内側前方に向って傾いているのが好ましい。
かかる態様によれば、一般に、歩行時の荷重重心は、後足部から踏まず領域において足長方向に延び、踏付領域において若干内側に傾く。本実施例の場合、踏付領域の帯状部が後方から前方に行くに従い斜め内側前方に延びており、したがって、荷重重心を意識した歩行が容易になるだろう。
すなわち、フットフラットから蹴り出し時にかけての足の動きが通常よりも内側へ大きくねじれるような動きになる。このように足の動きが大きくなることは膝関節や股関節の動きが大きくなるのに役立ち、通常よりも筋活動を促進させるだろう。
【００３２】
本発明の別の態様の靴底は、着地時に接地する接地面を有するアウトソールと、前記アウトソールの上に配置され着地の衝撃を緩和するミッドソールとを備えた靴底において、中足趾節間関節を含む踏付領域において足の内側を支える内側踏付部と、前記踏付領域において足の外側を支える外側踏付部と、前記内側踏付部と外側踏付部との間において前後方向に長い帯状の帯状部とを備え、前記帯状部は突部を有し、前記突部は前後方向に連続的ないし断続的に延びており、前記突部の接地面は前記内側踏付部および外側踏付部の接地面よりも下方に突出しており、そして、前記帯状部と前記内側踏付部および外側踏付部との間には、各々、前記ミッドソールおよびアウトソールの双方に、前記帯状部に沿って延びる縦溝が形成されている。
【００３３】
この場合も、着用者が所期の美しい歩行姿勢を維持することができるなど、前記効果（i)〜(iii) が得られるだろう。
すなわち、帯状部の接地面が接地すると、帯状部のアウトソールおよびミッドソールが圧縮変形される。この際、前記帯状部の圧縮変形につられて内側および外側踏付部のミッドソールも同時に圧縮変形を呈するだろう。前記縦溝が設けられていないと、前記内側および外側踏付部の変形により、つまり、変形の連続性により、前記帯状部の変形が小さくなるだろう。一方、前記縦溝が設けられていることで、前記変形の連続性が低下し、そのため、前記帯状部において大きな圧縮変形が得られるだろう。
この大きな圧縮変形は前記突出した帯状部の突出を小さくするので、歩行の安定性を高めるだろう。
また、着用者は圧縮された帯状部のミッドソールの反力を足裏に感じ易いだろう。それ故、着用者は帯状部を意識して歩行する。その結果、着用者が所期の美しい歩行姿勢を維持することができるなど、前記効果 (i)〜(iii) が得られ易いだろう。
【００３４】
本発明において、前記踏付部よりも後方においてリスフラン関節を含む踏まず領域を更に備え、ここにおいて前記踏まず領域は、前記踏まず領域において足の内側を覆う内側踏まず部と、前記踏まず領域において足の外側を覆う外側踏まず部と、前記内側踏まず部と前記外側踏まず部との間において、前記踏付領域の帯状部に連続的または断続的に連なる前後に長い帯状の帯状踏まず部とを備え、前記帯状踏まず部と前記内側および外側踏まず部との間に前記帯状踏まず部に沿って前記縦溝が延びているのが好ましい。
【００３５】
本発明において、前記帯状踏まず部は足の前後方向に沿って延び、前記踏付領域の前記帯状部は後方から前方に行くに従い斜め内側前方に向って傾いているのが好ましい。
【実施例１】
【００３６】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００３７】
以下、本発明の実施例が図面にしたがって説明される。以下の説明では、左足用の靴底１が例示して説明される。
図１および図２に示すように、靴底１は、アウトソール３およびミッドソール２を備えている。
なお、図１および図２においてはアウトソール３の接地面に形成された微細な溝（いわゆる意匠）は、省略されている。【００３８】
アウトソール３は路面と接する接地面を有している。
ミッドソール２は、図３Ａに示すように、アウトソール３の上に配置され、着地の衝撃を緩和するものである。そのため、ミッドソール２はアウトソール３よりも厚く形成されている。【００３９】
図１、図２および図４において、ミッドソール２の底面には、網点で示す複数個のパーツに分離されたアウトソール３が設けられている。アウトソール３およびミッドソール２には、図１の帯状部４および図３Ｂの帯状部２ｂがそれぞれ設けられている。【００４０】
前足部１２；
図４に示す前足部１２は、第１中足骨Ｂ４1 〜第５中足骨Ｂ４5 の各骨体よりも足先に対応する位置に形成されている。【００４１】
踏付領域１２ａ；
図４において、前足部１２は踏付領域１２ａを含む。踏付領域１２ａは、中足趾節間関節ＭＰを含み、詳しくは第１趾〜第４趾の第１中足骨Ｂ４1 〜第４中足骨Ｂ４4 の骨頭と、第１趾〜第４趾の第１基節骨Ｂ３1 〜第４基節骨Ｂ３4 とを含む。【００４２】
図５に示す踏付領域１２ａには、前記ミッドソール２およびアウトソール３の内側踏付部２３，３３、外側踏付部２４，３４および帯状部２ｂ，４の一部が設けられている。
図４において、内側踏付部２３，３３は踏付領域１２ａにおいて足の内側（ＩＮ）を支える部分である。たとえば、前記内側踏付部２３，３３は第１趾ｆ１のＭＰ関節や第１基節骨Ｂ３1 の一部を支える。
外側踏付部２４，３４は踏付領域１２ａにおいて足の外側（ＯＵＴ）を支える部分である。たとえば、外側踏付部２４，３４は、第４趾ｆ４および第５趾ｆ５の第４基節骨Ｂ３4 ，Ｂ３5 を支える。【００４３】
後足部１０；
図３Ｂおよび図４に示すように、アウトソール３の後端部３０およびミッドソール２の後足部１０は、踵骨Ｂ９に概ね対応する位置に設けられている。【００４４】
踏まず領域１１ａ；
図４に示す前記中足部１１は踏まず領域１１ａを含む。
踏まず領域１１ａは、ショパール関節ＪC およびリスフラン関節ＪL を含む。
ショパール関節ＪC は、距骨Ｂ８と、立方骨Ｂ７および舟状骨Ｂ６との間の関節である。リスフラン関節ＪL は、内側楔状骨Ｂ５1 、中間楔状骨Ｂ５2 、外側楔状骨Ｂ５3 および立方骨Ｂ７と、第１中足骨Ｂ４1 〜第５中足骨Ｂ４5 との間の関節である。【００４５】
図３Ｂおよび図５に示す踏まず領域１１ａにおいて、前記ミッドソール２およびアウトソール３には、内側踏まず部２１，３１、外側踏まず部２２，３２および帯状踏まず部２ｂ１，４１が形成されている。
内側踏まず部２１，３１は踏まず領域１１ａにおいて足の内側（ＩＮ）を覆う部分である。たとえば、内側踏まず部２１，３１は第１趾ｆ１ないし第２趾ｆ２のリスフラン関節ＪL を覆う。
外側踏まず部２２，３２は踏まず領域１１ａにおいて足の外側（ＯＵＴ）を覆う部分である。たとえば、外側踏まず部２２，３２は第４趾ｆ４ないし第５趾ｆ５のリスフラン関節ＪL を覆う。【００４６】
帯状踏まず部２ｂ１，４１は、それぞれ前記帯状部２ｂ，４１の一部を構成している。帯状踏まず部２ｂ１，４１は、内側踏まず部３１（２１）と外側踏まず部３２（２２）との間において前後に長い帯状の部分である。帯状踏まず部４１は、ショパール関節ＪC 近傍から前方Ｘ１に向って設けられている。
したがって、帯状部４の一部を構成する帯状踏まず部４１，２ｂ１の幅方向Ｗの両サイドには、内側踏まず部３１，２１および外側踏まず部３２，２２が形成されている。【００４７】
すなわち、帯状部２ｂ，４は、内側踏付部２３，３３と外側踏付部２４，３４との間、ならびに、内側踏まず部２１，３１と外側踏まず部２２，３２との間に設けられており、図３のミッドソール２の帯状部２ｂは連続的に連なっている。【００４８】
図３Ｂおよび図４において、ミッドソール２はたとえばＥＶＡなどの樹脂の発泡体で形成されている。【００４９】
ミッドソール２における帯状部２ｂの硬度は、前記帯状部２ｂ以外の部分２ａの硬度よりも大きく設定されている。なお、帯状部２ｂと前記部分２ａとは、ハッチングの方向を互いに変えて図示されている。
たとえば、ミッドソール２の前記部分２ａの発泡体の硬度は、Ｃ硬度で５３度程度に設定されており、一方、帯状部２ｂの硬度は、Ｃ硬度で７５度に設定されている。帯状部２ｂの幅、つまり足幅方向の大きさは、たとえば１０〜１５ｍｍ程度に設定されている。【００５０】
アウトソール３：
図５の網点で示すように、アウトソール３は互いに分離された複数個のパーツからなり、前記ミッドソール２の後足部１０、中足部１１および前足部１２の底面に島状に配置されている。
アウトソール３は、ゴムの非発泡体からなる後端部３０および帯状部４と、ゴムの発泡体からなる内側踏まず部３１、外側踏まず部３２、内側踏付部３３、外側踏付部３４および前端部３５とを備える。【００５１】
前記帯状部４は、前後方向Ｘにおいて後端部３０と前端部３５との間に、たとえば３個の帯状のパーツに分離されて断続的に設けられている。帯状部４の両サイドには、各々、複数個のパーツからなる内側および外側踏まず部３１，３２と複数個のパーツからなる内側および外側踏付部３３，３４が配置されている。【００５２】
アウトソール３の各パーツの硬度については、たとえば、以下のような値に設定されている。
なお、以下に説明する硬度の相違に応じてアウトソール３の各パーツについては、互いに異なる網点の大きさや密度で示されている。【００５３】
図５に示す後端部３０の硬度は、たとえば、ＪＩＳ  Ｋ  ６２５３に規定される硬度（以下、「Ａ硬度」という。）で約７０度、当該硬度値をＣ硬度に換算した値で約８６度に設定されている。
内側踏まず部３１および外側踏まず部３２の硬度は、たとえば、Ｃ硬度で７０度に設定されている。
内側踏付部３３および外側踏付部３４の硬度は、たとえば、Ｃ硬度で６７度に設定されている。
前端部３５の硬度は、たとえば、Ｃ硬度で７０度に設定されている。【００５４】
帯状部４の硬度は、たとえば、Ａ硬度で約６３度、当該硬度値をＣ硬度に換算した値で約８２度に設定されている。
したがって、帯状部４の硬度は、その両サイドの内側踏まず部３１、外側踏まず部３２、内側踏付部３３および外側踏付部３４の硬度よりも大きな値に設定されている。【００５５】
帯状部４；
図３Ａに示すように、アウトソール３の帯状部４は、ミッドソール２の帯状部２ｂに概ね対応する位置に設けられ、かつ、ミッドソール２の帯状部２ｂを覆うように重なって設けられている。アウトソール３の帯状部４は、ミッドソール２の帯状部２ｂよりも後方まで延設されている。
図５に示すように、アウトソール３の帯状部４は、足の前後方向Ｘに長い帯状に断続的に複数個設けられている。帯状部４の幅は帯状部２ｂと概ね同じ幅に設定されている。【００５６】
前記内側踏まず部３１と外側踏まず部３２との間には、アウトソール３の帯状部４の一部を構成する前記帯状踏まず部４１が断続的に形成されている。【００５７】
図４の踏付領域１２ａおよび踏まず領域１１ａにおいて帯状部４（２ｂ）は後方（リスフラン関節ＪL ）から前方に行くに従い斜め内側ＩＮの前方Ｘ１に向って傾いている。一方、後足部１０においてアウトソールの帯状部４は足の長軸方向（前後方向Ｘ）に沿って配置されている。すなわち、図４に示すように、帯状部２ｂ、４は踏まず領域１１ａおよび踏付領域１２ａにおいて、第３趾ｆ３のリスフラン関節ＪL から第２趾ｆ２の中足趾節間関節ＭＰに対応する位置を通って第１趾ｆ１の第１基節骨Ｂ３1 の骨頭に向って斜めに傾いている。【００５８】
突部４０；
図２に示すように、アウトソールの帯状部４の各パーツは複数の突部４０をそれぞれ有している。各突部４０は前後方向Ｘに長い帯状で、かつ、各突部４０が帯状部４の延びる方向に沿って断続的に配置されている。
図６Ｂ〜図６Ｅに示すように、突部４０の接地面は、その両側の接地面を構成する内側踏まず部３１、外側踏まず部３２、内側踏付部３３および外側踏付部３４の接地面よりも、たとえば０．５ｍｍ〜１．５ｍｍ程度下方Ｚ１に突出している。【００５９】
このように、前記複数の突部４０は帯状に配列されており、したがって、両側の部分３１〜３４よりも突部４０が接地し易い。それ故、着用者は着地から離地するまでの間に帯状部４に対応する部位を足裏に感じることができるだろう。【００６０】
なお、「突部４０が下方Ｚ１に突出している」とは、平坦な路面に靴底の裏面を対面させた場合に、帯状部４において接地し、当該帯状部４の両側の部位が接地しない状態になり得ることを意味する。
また、突部４０には微細な溝が設けられており、この溝の部分は両側の部位の接地面に対して突出していなくてもよい。【００６１】
縦溝２ｄ，３ｄ：
図１、図５および図６Ｂ〜図６Ｅに示すように、帯状部２ｂ，４と、その両側の靴底の部分との間には、縦溝２ｄ，３ｄが設けられている。前記ミッドソール２の縦溝２ｄはミッドソール２の下面から上方に向って窪んだ溝で形成され、一方、前記アウトソール３の縦溝３ｄはアウトソール３の帯状部４とその両側の部分３１，３２とを分離している。
すなわち、図５に示すように、前記縦溝２ｄ，３ｄは、帯状部４とその両サイドの内側踏まず部２１，３１、外側踏まず部２２，３２、内側踏付部２３，３３、外側踏付部２４，３４および前端部３５との連続性が低下するように形成されている。【００６２】
図１に明示するように、前記ミッドソール２およびアウトソール３には多数の横溝２ｇ，３ｇが形成されている。これらの横溝２ｇ，３ｇは靴底の屈曲を容易にする。
なお、ミッドソール２およびアウトソール３の横溝２ｇ，３ｇは、前記帯状の突部４０を前後方向に分離する。【００６３】
図７Ａ〜図７Ｄおよび図８Ａ〜図８Ｃは変形例を示す。【００６４】
図７Ａに示すように、ミッドソール２の帯状部２ｂが上方に向って広がるように形成されていてもよい。【００６５】
図７Ｂに示すように、ミッドソール２の帯状部２ｂがアウトソール３内まで突出して形成されていてもよい。【００６６】
図７Ｃに示すように、アウトソール３において、帯状部４と、帯状部４の両側の内側踏まず部３１（内側踏付部３３）および外側踏まず部３２（外側踏付部３４）とが一体に連なって形成されていてもよい。【００６７】
図７Ｄに示すように、アウトソール３において、帯状部４と、帯状部４の両側の内側踏まず部３１（内側踏付部３３）および外側踏まず部３２（外側踏付部３４）との間に縦溝３ｄが形成されていてもよい。【００６８】
図８Ａおよび図８Ｂに示すように、帯状部４の各突部４０は、前後方向Ｘの長さＬよりも足幅方向の幅Ｗの方が大きくてもよい。
図８Ｃに示すように、アウトソール３の帯状部４は連続的に形成され、突部４０のみが断続的に設けられていてもよい。【００６９】
なお、前述した実施例では、ミッドソール２の帯状部２ｂは連続的に一体に形成されていることとしたが、ミッドソール２についても帯状部２ｂは断続的に設けられていてもよい。【００７０】
また、前述した実施例では、帯状部２ｂおよび帯状部４が踏付領域１２ａにおいて斜め内側の前方Ｘ１に向って延びていることとしたが、帯状部２ｂおよび帯状部４は、踏付領域１２ａにおいて斜め外側の前方に向って延びていてもよいし、前後方向Ｘに沿って延びていてもよい。【００７１】
以上のとおり、図面を参照しながら好適な実施例を説明したが、当業者であれば、本明細書を見て、自明な範囲内で種々の変更および修正を容易に想定するであろう。【００７２】
たとえば、ミッドソールは樹脂の発泡体に凹所などを設けて樹脂の発泡体以外の緩衝要素が充填されていてもよい。かかる緩衝要素としては、ゴム様の軟質エラストマーや鞘様部材（ｐｏｄ）が知られている。【００７３】
また、アウトソールの各パーツの全ては、ゴムの非発泡体で形成されていてもよいし、逆に、ゴムの発泡体で形成されていてもよい。【００７４】
また、踏まず領域の一部または全部において、靴底の底面が接地しないようにしてもよい。この場合、踏まず領域の接地しない部分については突部を設けない。【００７５】
なお、本発明のミッドソールについての技術思想を中敷について採用することも可能である。
また、アウトソールの帯状部の接地面を突出させない場合にも、ある程度の効果は得られるだろう。
【産業上の利用可能性】
【００７６】
本発明は歩行姿勢の矯正や筋力の増強のトレーニング用の靴に適用できる。
【符号の説明】
【００７７】
１：靴底
２：ミッドソール
２ｂ１：帯状踏まず部
２ｄ，３ｄ：縦溝
３：アウトソール
４，２ｂ：帯状部
１１ａ：踏まず領域
１２ａ：踏付領域
２１，３１：内側踏まず部
２２，３２：外側踏まず部
２３，３３：内側踏付部
２４，３４：外側踏付部
４０：突部
ＩＮ：内側
ＪL ：リスフラン関節
ＭＰ：中足趾節間関節
Ｘ：前後方向
【図１】
2010137068.tif 000003
【図２】
2010137068.tif 000004
【図３】
2010137068.tif 000005
【図４】
2010137068.tif 000006
【図５】
2010137068.tif 000007
【図６】
2010137068.tif 000008
【図７】
2010137068.tif 000009
【図８】
2010137068.tif 000010
【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
着地時に接地する接地面を有するアウトソールと、前記アウトソールの上に配置され着地の衝撃を緩和するミッドソールとを備えた靴底において、
中足趾節間関節を含む踏付領域において足の内側を支える内側踏付部と、
前記踏付領域において足の外側を支える外側踏付部と、
前記内側踏付部と外側踏付部との間において前後方向に長い帯状の帯状部とを備え、
前記帯状部は突部を有し、
前記突部は前後方向に連続的ないし断続的に延びており、
前記突部の接地面は前記内側踏付部および外側踏付部の接地面よりも下方に突出しており、
そして、下記の（ａ）、（ｂ）のうちのいずれか一方または双方の条件を満たす靴底
（ａ）前記帯状部の前記ミッドソールを形成する樹脂の発泡体の硬度が前記内側踏付部および外側踏付部のミッドソールを形成する樹脂の発泡体の硬度よりも大きい
（ｂ）前記帯状部の前記アウトソールを形成するゴムの硬度が前記内側踏付部および外側踏付部のアウトソールを形成するゴムの硬度よりも大きい。
【請求項２】
請求項１の前記（ａ）および（ｂ）の双方の条件を満たす靴底。
【請求項３】
請求項１において、前記ミッドソールはアウトソールよりも厚く、かつ、請求項１の少なくとも前記（ａ）の条件を満たす靴底。
【請求項４】
請求項１において、前記アウトソールの帯状部と前記アウトソールの前記内側および外側踏付部とが互いに分離され、かつ、請求項１の少なくとも前記（ｂ）の条件を満たす靴底。
【請求項５】
請求項４において、前記帯状部のアウトソールがゴムの非発泡体で形成され、前記内側および外側踏付部のアウトソールがゴムの発泡体で形成されている靴底。
【請求項６】
請求項４において、
前記踏付領域よりも前方の前端部と、
前記踏付領域よりも後方においてリスフラン関節を含む踏まず領域とを更に備え、ここにおいて前記踏まず領域は、
前記踏まず領域において足の内側を覆う内側踏まず部と、
前記踏まず領域において足の外側を覆う外側踏まず部と、
前記内側踏まず部と前記外側踏まず部との間において、前記踏付部の帯状部に連続的または断続的に連なる前後方向に長い帯状の帯状踏まず部とを備え、
前記帯状踏まず部の接地面において前記アウトソールは接地し、
前記帯状踏まず部の前記接地面は前記内側および外側踏付部の接地面よりも下方に突出し、
前記帯状踏まず部のアウトソールを形成するゴムの硬度が前記内側および外側踏まず部のアウトソールを形成するゴムの硬度よりも大きい靴底。
【請求項７】
請求項６において、
前記アウトソールの内側および外側踏まず部を形成するゴムの硬度が前記アウトソールの内側および外側踏付部を形成するゴムの硬度よりも大きい靴底。
【請求項８】
請求項３において、
前記踏付領域よりも前方の前端部と、
前記踏付領域よりも後方においてリスフラン関節を含む踏まず領域とを更に備え、ここにおいて前記踏まず領域は、
前記踏まず領域において足の内側を覆う内側踏まず部と、
前記踏まず領域において足の外側を覆う外側踏まず部と、
前記内側踏まず部と前記外側踏まず部との間において、前記踏付部の帯状部に連続的または断続的に連なる前後方向に長い帯状の帯状踏まず部とを備え、
前記帯状踏まず部においてミッドソールを形成する樹脂の発泡体の硬度が前記内側および外側踏まず部のミッドソールを形成する樹脂の発泡体の硬度よりも大きい靴底。
【請求項９】
請求項１において、前記帯状部と前記内側および外側踏付部との間には、各々、前記ミッドソールおよびアウトソールの双方に、前記帯状部に沿って延びる縦溝が形成されている靴底。
【請求項１０】
請求項６において、
前記帯状踏まず部は足の前後方向に沿って延び、
前記踏付領域の前記帯状部は後方から前方に行くに従い斜め内側前方に向って傾いている靴底。
【請求項１１】
着地時に接地する接地面を有するアウトソールと、前記アウトソールの上に配置され着地の衝撃を緩和するミッドソールとを備えた靴底において、
中足趾節間関節を含む踏付領域において足の内側を支える内側踏付部と、
前記踏付領域において足の外側を支える外側踏付部と、
前記内側踏付部と外側踏付部との間において前後方向に長い帯状の帯状部とを備え、
前記帯状部は突部を有し、
前記突部は前後方向に連続的ないし断続的に延びており、
前記突部の接地面は前記内側踏付部および外側踏付部の接地面よりも下方に突出しており、そして、
前記帯状部と前記内側踏付部および外側踏付部との間には、各々、前記ミッドソールおよびアウトソールの双方に、前記帯状部に沿って延びる縦溝が形成されている靴底。
【請求項１２】
請求項１１において、
前記踏付部よりも後方においてリスフラン関節を含む踏まず領域を更に備え、ここにおいて前記踏まず領域は、
前記踏まず領域において足の内側を覆う内側踏まず部と、
前記踏まず領域において足の外側を覆う外側踏まず部と、
前記内側踏まず部と前記外側踏まず部との間において、前記踏付領域の帯状部に連続的または断続的に連なる前後方向に長い帯状の帯状踏まず部とを備え、
前記帯状踏まず部と前記内側および外側踏まず部との間に前記帯状踏まず部に沿って前記縦溝が延びている靴底。
【請求項１３】
請求項１２において、
前記帯状踏まず部は足の前後方向に沿って延び、
前記踏付領域の前記帯状部は後方から前方に行くに従い斜め内側前方に向って傾いている靴底。
【国際調査報告】
2010137068.tif 000011
2010137068.tif 000012
2010137068.tif 000013